(57)【要約】【課題】液体に接触する可能性のある環境で使用しても、接点部に残存する液体分を除去するための人為的な作業を要することなく廉価な構成で接点の腐食を防止する。【解決手段】プラグ１４の接点面２９から取付枠部２６の側壁にかけて立上がるコーナー部３１と接点ピン２８との間に、接点ピン２８を形成する材料よりもイオン化傾向の大きい導電性材料からなる犠牲電極３０を配設し、最も電解腐食を起こしやすい電源ピン２８ａと電気的且つ物理的に接続する。これにより、コーナー部３１に液体分が残存して接点間に電位差が発生した場合、犠牲電極３０が効果的に犠牲となって電解腐食し、本来の電気接点である接点ピン２８の腐食を防止して接点機能を良好に維持し、信頼性を向上することができる。【選択図】    図３
2004192954.tif 000002
【特許請求の範囲】
【請求項１】
受け部材側に設けた電気接点と前記受け部材に着脱自在に装着される装着部材側に設けた電気接点とを機械的に接触させて電気的接続をなす電気コネクタ装置であって、
前記受け部材と前記装着部材との少なくとも一方の側の電気接点の周辺部に、前記電気接点を形成する材料よりもイオン化傾向が大きい導電性材料にて形成された犠牲電極を配設し、この犠牲電極を前記電気接点と電気的且つ物理的に接続したことを特徴とする電気コネクタ装置。
【請求項２】
直流電源で動作する機器と、この機器を制御するコントローラとを電気コネクタを介して着脱自在に接続する電気コネクタ装置であって、
前記コントローラ側から前記電気コネクタの電気接点を通して前記機器側に供給する電力を、交流電力として供給する交流電力供給手段と、
前記電気コネクタの電気接点を通して供給される交流電力を直流電力に変換し、前記機器側に供給する交直変換手段とを具備することを特徴とする電気コネクタ装置。
【発明の詳細な説明】
【０００１】
【発明の属する技術分野】
本発明は、液体が付着する可能性のある環境で使われる電気コネクタ装置に関する。
【０００２】
【従来の技術】
液体が付着する可能性のある環境で使われる電気コネクタ装置は、以前から、接点部が濡れたまま使用すると、電位差のある接点間で電解が起き、接点が腐食してしまうという問題に悩まされてきた。特に、内視鏡像を撮像するための撮像素子を有した内視鏡用撮像装置、内視鏡先端部分に撮像素子を設けた電子内視鏡、電気モータや超音波振動子を有した処置用機器等をはじめとする医用機器では、患者に触れる部分を洗滌・滅菌する必要があるため、常に液体に触れる可能性がある。
【０００３】
そこで、接点の材料に貴金属を用いることが想到される。しかしながら、これらのものは、例えばそれが金であろうとも、腐食を遅らせるものではあっても、根本的に腐食を防ぎ得るものではなく、さらに装置が比較的高価になりやすいという欠点がある。或いは、同様に、接点の材料に腐食に強い合金や保護膜を用いる研究がなされてきたが、しかしながら、これらの物もまた、同様な欠点があった。
【０００４】
また、特開２００２−２１４５２８号公報には、プラグをレセプタクルに接続するようにした内視鏡用コネクタ装置において、プラグの接点面を、水分の拭き取り性や乾燥性を考慮して略平面の構造とする技術が提案されている。しかしながら、このコネクタ装置では、水分の除去をユーザーの拭き取り作業に頼らなければならず、使用状況によっては水分を確実に除去できるとは限らない。
【０００５】
また、洗滌・消毒する時に接点部が濡れないように防水キャップをかぶせるようにしたものもあるが、その防水キャップの着脱作業が面倒であるだけでなく、逆に、そのキャップ構造ゆえに凹凸部に水や薬液が溜まり易く、接点面を十分に乾燥させる手間や時間がかかってしまうという欠点がある。
【０００６】
【特許文献１】
特開２００２−２１４５２８号公報
【０００７】
【発明が解決しようとする課題】
つまり、接点自体で腐食に対する耐性を向上しようとする技術は、単に腐食を遅らせるだけで、根本的に腐食を防ぎ得るものではなく、高価になるという欠点がある。また、特許文献１に開示されているような接点部を略平面にして液体の拭き取り性を向上する技術や、防水キャップを付帯して液体から分離する技術では、使用者の作業の完璧さに頼らないといけないという欠点がある。
【０００８】
本発明は上記事情に鑑みてなされたもので、液体に接触する可能性のある環境で使用しても、接点部に残存する液体分を除去するための人為的な作業を要することなく廉価な構成で接点の腐食を防止することのできる電気コネクタ装置を提供することを目的としている。
【０００９】
【課題を解決するための手段】
上記目的を達成するため、本発明による第１の電気コネクタ装置は、受け部材側に設けた電気接点と前記受け部材に着脱自在に装着される装着部材側に設けた電気接点とを機械的に接触させて電気的接続をなす電気コネクタ装置であって、前記受け部材と前記装着部材との少なくとも一方の側の電気接点の周辺部に、前記電気接点を形成する材料よりもイオン化傾向が大きい導電性材料にて形成された犠牲電極を配設し、この犠牲電極を前記電気接点と電気的且つ物理的に接続したことを特徴とする。
【００１０】
本発明による第２の電気コネクタ装置は、直流電源で動作する機器と、この機器を制御するコントローラとを電気コネクタを介して着脱自在に接続する電気コネクタ装置であって、前記コントローラ側から前記電気コネクタの電気接点を通して前記機器側に供給する電力を、交流電力として供給する交流電力供給手段と、前記電気コネクタの電気接点を通して供給される交流電力を直流電力に変換し、前記機器側に供給する交直変換手段とを具備することを特徴とする。
【００１１】
【発明の実施の形態】
以下、図面を参照して本発明の実施の形態を説明する。図１〜図６は本発明の実施の第１形態に係わり、図１は本発明が適用される内視鏡装置の説明図、図２は電気コネクタ装置のプラグの分解斜視図、図３は電気コネクタ装置のプラグの接点部を示す説明図、図４は接点部の拡大図、図５は接点の電解腐食の機序を示す説明図、図６は接点部の変形例を示す拡大図である。
【００１２】
図１は、本発明の電気コネクタ装置を、医療用の内視鏡装置に適用した例を示すものであり、本形態における内視鏡装置１は、例えば、細長な挿入部２を有する内視鏡３と、この内視鏡３に着脱自在に装着される内視鏡用撮像装置４と、内視鏡３に照明光を供給する光源装置５と、内視鏡用撮像装置４に対する信号処理を行うビデオプロセッサ６と、このビデオプロセッサ６から出力される映像信号を表示するモニタ７とを備えて構成される。尚、図示しないが、内視鏡３と内視鏡用撮像装置４の代わりに細長の挿入部２の先端部に撮像素子を設けた電子内視鏡としても良い。
【００１３】
内視鏡３は、細長な挿入部２と、この挿入部２の後端に連設された太径の把持部８と、この把持部８の後端に形成された接眼部９と、把持部８の側周部に設けたライトガイド口金１０とを有するものである。ライトガイド口金１０にはライトガイドケーブル１１が接続され、このライトガイドケーブル１１の末端に設けられたコネクタ１２を介して、光源装置５に内視鏡３を着脱自在に接続することができる。
【００１４】
すなわち、ライトガイドケーブル１１のコネクタ１２を光源装置５に接続することによって光源装置５内の図示しないランプによる白色光がライトガイドケーブル１１の入射端面に照射され、ライトガイドケーブル１１により伝送された照明光が内視鏡３内の図示しないライトガイドに供給される。更に、照明光はライトガイドを通じて挿入部２の先端部の図示しない照明窓に伝送され、この照明窓から前方に照明光を出射し、被写体を照明するようになっている。
【００１５】
照明窓から出射された照明光により照明された被写体の光学像は、挿入部２の先端部に設けられた図示しない対物レンズによって内視鏡３の図示しないリレー光学系に結像され、この結像された像はそのリレー光学系により接眼部９側に伝送される。そして、接眼部９の図示しない接眼レンズを介して肉眼で観察できるようになっている。
【００１６】
また、接眼部９には内視鏡用撮像装置（カメラヘッド）４が着脱自在で装着される。内視鏡用撮像装置４は、撮像素子として例えばＣＣＤなどの固体撮像素子（図示せず）を内蔵し、この固体撮像素子で撮像された内視鏡像は、内視鏡用撮像装置４から延出されたケーブル１３の末端に設けられたプラグ１４を介してビデオプロセッサ６に伝送される。
【００１７】
ビデオプロセッサ６には、プラグ１４が着脱自在に挿入されるレセプタクル１５が設けられており、受け部材としてのレセプタクル１５に設けられた電気接点と、このレセプタクル１５に着脱自在に装着される装着部材としてのプラグ１４に設けられた電気接点とを機械的に接触させることにより電気的接続をなす電気コネクタ装置１６が構成される。
【００１８】
すなわち、本形態における内視鏡装置１のような医用機器のうち、患者に触れる部分は、使用の前に洗滌・滅菌されることから、一般的に、液体のかからない所に設置された本体と患者に触れる部分とが電気接点を持つコネクタを介して分離される構成とされ、使用する際に接続して機能するようになっている。
【００１９】
図２に示すように、プラグ１４は、レセプタクル１５と嵌合することにより電気的接続を得るための接点部２０と、内視鏡用撮像装置４の固体撮像素子を駆動する駆動回路等が実装され、後端部に設けられたパターン或いはスルーホールを介してケーブル１３の複数の芯線１３ａと半田付け等により電気的に接続されると共に、接点部２０に設けられた複数の接点ピン２８と電気的に接続されるプリント基板２１と、このプリント基板２１を電磁シールドするシールドケース２２と、プラグ１４の本体部を形成して握り及びカバーの機能を持たせた樹脂製のプラグ本体部２３と、接点部２０とプラグ本体部２３との間を液密に保持するためのシール部材２４とを骨子として構成され、ビス２５によって接点部２０をプラグ本体部２３に締結固定することで一体的に組み立てられる。
【００２０】
接点部２０は、樹脂等の絶縁材で形成され、プラグ本体部２３にビス２５を介して接合される取付枠部２６と、この取付枠部２６から矩形状に突出し、上下両面及び左右両面が何れも略平面状で各両面が互いに略平行な面を有する接点保持部２７とを備えている。接点保持部２７の上面又は下面或いは上下両面は、複数の板状の電気接点である接点ピン２８を所定の間隔をあけて整列・配置した接点面２９を形成しており、取付枠部２６の内端部に設けられた開口部にプリント基板２１の先端部分を差込み挿入した状態で、接点ピン２８の延長内端部分とプリント基板２１の先端部に設けられたパターンとを半田付けすることにより、接点ピン２８とプリント基板２１とが電気的に接続される。
【００２１】
尚、図においては、内部のプリント基板２１と接点部２０とが分離された状態を示しているが、内部のプリント基板２１の一端に接点部２０が形成されて一体となっている形態を取っている場合も、本発明の主旨を外れるものではない。
【００２２】
また、図３及び図４に拡大して示すように、接点保持部２７には、接点ピン２８を形成する材料よりもイオン化傾向の大きい導電性材料からなる犠牲電極３０が接点ピン２８の周辺部に配設されている。この犠牲電極３０は、液体の存在下で接点ピン２８に代って電解腐食することで接点ピン２８自体の電解腐食を防止するためのものであり、洗滌・滅菌等の際の液体が残存しやすい部位に配設され、この部位周辺の接点ピン２８の中で相対的に高電位となる接点に電気的且つ物理的に接続されている。
【００２３】
液体が残存しやすい部位としては、例えば他の部位に比較して凹部状となる部位、本形態においては、接点面２９から取付枠部２６の側壁にかけてのコーナー部３１があり、このコーナー部３１と接点ピン２８との間に犠牲電極３０が配設され、複数の接点ピン２８の中でも最も電解腐食を起こしやすい電力供給用の電源ピン２８ａと電気的且つ物理的に接続されている。
【００２４】
以上の電気コネクタ装置１６を備えた内視鏡装置１では、内視鏡用撮像装置４のプラグ１４がビデオプロセッサ６のレセプタクル１５に挿入されて動作状態になると、患者に触れる側の部分を動作・制御するために、接点ピン２８には様々な信号、電力が付加される。
【００２５】
この場合、前述したように、電気コネクタ装置１６を介して分離される内視鏡装置１では、患者に触れる部分は使用の前に洗滌・滅菌されることから、患者に接触する側の電気接点は液体に触れる可能性があり、また、電気接点部に液体が残存する場合が発生する。
【００２６】
すなわち、プラグとレセプタクルとを着脱自在に嵌合して電気的接続をなす電気コネクタ装置では、構造上、接点部の根本に、液体が残存しやすい部位ができてしまうのは避けられず、特にプラグ側では、上述のコーナー部３１のような凹部状の部位ができてしまう。当然ながら、このような凹部状の部位には液体分が残留しやすく、また、拭き取り乾燥もし難い。従って、接点部周辺の凹部状の部位に液体が残存していると、その液体を通じて電流が発生し、長い期間、その様なことが繰り返されると、陽極となった接点が電解腐食を起こしてしまう。
【００２７】
しかしながら、本発明による電気コネクタ装置１６のプラグ１４では、接点部２０の液体が残存しやすい部位に犠牲電極３０を設けているため、犠牲電極３０が液体に触れやすくなり、本来の電気接点である接点ピン２８に対して効果的に犠牲となって電解腐食する。
【００２８】
この接点の電解腐食の機序を、図５（ａ），（ｂ）を用いて簡単に説明すると、電解液４０に浸した電極に、電源４１から直流の電流を流した場合、電極は、それぞれ陽極４２と陰極４３になり、電流に比例した量のイオン化した金属が陽極４２から溶出する。この現象が電気接点で生じると、接点の電解腐食と呼ばれることとなる。
【００２９】
ここで、図５（ａ）に示すように、電解液４０中で、陽極４２よりもイオン化傾向の大きい金属を陽極４２に接続しておくと、陽極４２より先にそのイオン化傾向の大きい金属が溶出することによって、陽極４２の溶出が起こらないことは周知の事実である。この陽極４２に接続されたイオン化傾向の大きい金属が、プラグ１４の犠牲電極３０に該当するものである。但し、図５（ｂ）に示されるように、犠牲電極３０が陽極４２に接続されていても、電解液４０の外にある場合には、陽極４２が溶出してしまうことは言うまでも無い。
【００３０】
この場合、プラグ１４の接点ピン２８の中でも、特に、電力を供給する電源ピン２８ａは、例えば数ボルトの電圧が常にかかっているため、電解腐食を最も起こしやすい接点といえるが、電源ピン２８ａ周辺の液体が残存しやすい部分に犠牲電極３０が配設されて電源ピン２８ａに接続されているため、電極間に電位差が発生したときには、犠牲電極３０が電解腐食する。
【００３１】
これにより、電気コネクタ装置１６を液体に接触する可能性のある環境で使用しても、接点部２０に残存する液体の拭き取りや乾燥といった作業を要することがなく、廉価な構成で本来の電気接点である接点ピン２８を電解腐食から保護することができ、接点機能を良好に維持して信頼性を向上することができる。
【００３２】
図６は、前述の図４に示す犠牲電極３０の配置及び形状を変更した変形例を示すものであり、この例における犠牲電極３０Ａは、電源ピン２８ａと、その他の接点ピン２８を隔てるような形状に形成されている。すなわち、犠牲電極３０Ａを、電源ピン２８ａ（陽極）と、その他の接点ピン２８（陰極）を隔てるように配置することで、残存している液体が接点部２０のいかなるところにあっても、電流は犠牲電極３０Ａと陰極となる接点ピン２８との間で流れるので、犠牲電極３０Ａが腐食し、電源ピン２８ａが電解腐食することが無い。
【００３３】
尚、以上の説明では、医用機器に適用して洗滌・滅菌により液体が残留する可能性のあるプラグ１４側に犠牲電極３０（３０Ａ）を設ける例について説明したが、本発明は、これに限定されるものではなく、プラグ及びレセプタクルの形態や環境条件を考慮し、プラグ及びレセプタクルの少なくとも一方の接点部周辺の液体が残存しやすい部位に、適宜、犠牲電極を設けることが望ましい。
【００３４】
次に、本発明の実施の第２形態について説明する。図７は本発明の実施の第２形態に係わる接点部の拡大図である。
【００３５】
前述の第１形態では、接点部及び電極が略平面のいわゆる角型のプラグについて説明したが、第２形態では、図７に示すように、棒状の接点ピン５１を有する丸型のプラグ５０に、犠牲電極５２を設けるものである。
【００３６】
この丸型のプラグ５０は、外筒５０ａに内装される樹脂等の絶縁材からなる接点保持部５０ｂに、複数の棒状の接点ピン５１が立設されており、図示しないレセプタクルに着脱自在に嵌合・装着されることで、棒状の接点ピン５１が図示しないレセプタクルの例えば筒状の接点に挿入されて接触し、電気的接続がなされる。
【００３７】
プラグ５０の犠牲電極５２は、接点保持部５０ｂの接点ピン５１と略直交する基底面上に配設され、液体が残留しやすい部位の接点ピン５１の中で相対的に高電位となる接点ピンと電気的且つ物理的に接続されている。通常、凹部をなす接点保持部５０ｂの基底面上では液体が残存する可能性はどこでも同じであるため、犠牲電極５２は、最も高電位となる接点ピン、例えば電源ピンと電気的且つ物理的に接続される。
【００３８】
このような構成によれば、第１形態で説明したように、犠牲電極５２が犠牲となって接点ピン５１を保護するため、水分や薬液が完全に除去されていない状況で使用されても、本来の電気接点が腐食することなく使用できる。
【００３９】
尚、この場合においても、プラグ５０と嵌合する図示しないレセプタクル側、或いはプラグ５０側と図示しないレセプタクル側との双方の接点部周辺で液体が残存しやすい部位に、適宜、犠牲電極を設けることが望ましいことは勿論である。
【００４０】
次に、本発明の実施の第３形態について説明する。図８は本発明の実施の第３形態に係わる電気コネクタ装置の説明図である。
【００４１】
一般に、比較的小型の機器においては、直流を電源として動作するものが多く、このような直流電源で動作する機器と、この機器を制御するコントローラとを電気コネクタを用いて着脱自在に接続する場合、コントローラ側から電気コネクタを介して機器側に直流電力を供給することが多い。
【００４２】
しかしながら、直流電力を電気コネクタを介して供給すると、第１形態で説明したように、電気コネクタの接点周辺に液体が付着したとき、接点が電解腐食してしまうという問題点があった。特に、手術室で使用されるような医用機器の場合には、洗滌・滅菌のために、電子内視鏡や内視鏡用撮像装置等の操作や作業を行うための機器と、電子内視鏡や内視鏡用撮像装置に対する信号処理を行うビデオプロセッサ等のコントローラとを電気コネクタを介して分離できるようにしたものが多く、洗滌・滅菌で液体に接触する可能性が高い。
【００４３】
このため、第３形態では、直流電源で動作する機器とコントローラとの間に介装される電気コネクタに対し、電力供給用の接点には直流電力を通さず交流電力を通すことで、液体が付着する可能性のある環境下での接点の電解腐食を防止するものである。
【００４４】
図８を用いて説明すると、例えば電子内視鏡や光学内視鏡の接眼部に装着される撮像装置（カメラヘッド）等を備えた機器部６０と、例えばビデオプロセッサ等のコントローラとなる本体部８０とが、機器部６０から延出されるケーブル６５の先端に取付けられたプラグ７１と本体部８０に設けられたレセプタクル７２とからなる電気コネクタ７０を介して着脱自在に接続されるようになっており、プラグ７１の電気接点７１ａとレセプタクル７２の電気接点７２ａとを機械的に接触させることにより、機器部６０と本体部８０とが電気的に接続される。
【００４５】
本体部８０には、電気コネクタ７０を介して交流電力を機器部６０側に供給する交流電力供給手段としての交流電力発生回路８１が備えられており、一方、機器部６０には、内視鏡本体や撮像装置本体等の直流電力で動作する動作部６１と、電気コネクタ７０を介して供給される交流電力を直流電力に変換して動作部６１に供給する交直変換手段としての交直変換部６２とが備えられている。
【００４６】
このような構成により、機器部６０と本体部８０とを電気コネクタ７０を介して接続すると、本体部８０の交流電力発生回路８１から電気コネクタ７０の電気接点７１ａ，７２ａの電力供給用接点を通って交流電力が機器部６０に供給される。そして、交直変換部６２で交流電力が直流電力に変換されて動作部６１に供給され、動作部６１が動作状態となる。
【００４７】
このとき、電気コネクタ７０の接点部、例えば医用機器等で洗滌・滅菌により液体に接触する可能性の高いプラグ７１側の電気接点７１ａ周囲に液体が付着していても、電気接点７１ａ，７２ａの電力供給用接点には交流電流が流れることから、接点間に定常的な直流電位差が生じることが無く、接点の電解腐食が発生したとしても、その進行を極僅かなものに抑えることができる。
【００４８】
これにより、液体に接触する可能性のある環境で電気コネクタ７０を使用しても、前述の第１形態と同様、接点の腐食を防止して接点機能を良好に維持することができ、信頼性を向上することができる。
【００４９】
尚、交直変換部６２、交流電力発生回路８１は、それぞれ、機器部６０、本体部８０内に設けず、外部に設けるようにしても良く、例えば、小電力で動作する機器等に適用する場合、交直変換部６２、交流電力発生回路８１を、それぞれ、プラグ７１、レセプタクル７２と一体化することも可能である。
【００５０】
［付記１］
電気的絶縁性を有する材料にて形成された板状部材からなる電気基板と、
導電性材料にて前記プラグの前記電気基板の一端部に設けられた電気接点と、
前記電気接点が形成された前記電気基板の一端部を外部に露出させ、かつ前記電気基板の他端部を内部に収容した状態で前記電気基板を保持するプラグと、
前記プラグを挿入可能に構成され、前記プラグが挿入される事によって前記プラグとの電気的接続がなされるレセプタクルと、
前記レセプタクルに前記プラグが挿入された時に、前記電気基板の前記電気接点と接触する前記レセプタクルに設けられた電気的コンタクトと、
前記電気基板の一端部における前記電気接点の周辺部に、前記電気接点を形成する材料よりもイオン化傾向が大きい導電性材料にて設けられた犠牲用接点と
を具備した事を特徴とする電気的コネクタ。
【００５１】
［付記２］
前記電気接点は、前記電気基板への電力の供給をするための電力供給用接点を含み、前記犠牲用接点はこの犠牲用接点自体により前記電源用接点に対して電気的かつ物理的に接続されていることを特徴とする付記１に記載の電気的コネクタ。
【００５２】
［付記３］
前記電気接点は、前記電気基板の一端部で基板の稜線に沿って所定の間隔をあけて整列させて形成した複数の電気的接点ピンからなり、さらに、この複数の電気的接点ピンは前記電気基板への電力の供給をするための電力供給用接点ピンを含み、前記犠牲用接点はこの犠牲用接点自体により前記電源用接点ピンに対して電気的かつ物理的に接続されていると共に、前記電源用接点ピンよりも液体が残存しやすい部位に形成された事を特徴とする付記１に記載の電気的コネクタ。
【００５３】
［付記４］
前記電気接点は、前記電気基板の一端部で基板の稜線に沿って所定の間隔をあけて成立させて形成した複数の電気的接点ピンからなり、さらに、この複数の電気的接点ピンは前記電気基板への電力の供給をするための電力供給用接点ピンを含み、前記犠牲用接点はこの犠牲用接点自体により前記電源用接点ピンに対して電気的かつ物理的に接続されていると共に、前記電源用接点ピンと他の電気的接点ピンを隔てるような形状に形成された事を特徴とする付記１に記載の電気的コネクタ。
【００５４】
［付記５］
電源用接点ピンを通して供給する電力を、交流とした事を特徴とする医療用内視鏡カメラ。
【００５５】
【発明の効果】
以上説明したように本発明によれば、液体が付着する可能性のある環境で使用しても、接点部に残存する液体分を除去するための人為的な作業を要することなく廉価な構成で接点の腐食を防止することができ、接点機能を良好に維持して信頼性を向上することができる。
【図面の簡単な説明】
【図１】本発明の実施の第１形態に係わり、本発明が適用される内視鏡装置の説明図
【図２】同上、電気コネクタ装置のプラグの分解斜視図
【図３】同上、電気コネクタ装置のプラグの接点部を示す説明図
【図４】同上、接点部の拡大図
【図５】同上、接点の電解腐食の機序を示す説明図
【図６】同上、接点部の変形例を示す拡大図
【図７】本発明の実施の第２形態に係わる接点部の拡大図
【図８】本発明の実施の第３形態に係わる電気コネクタ装置の説明図
【符号の説明】
１４  プラグ
１５  レセプタクル
１６  電気コネクタ装置
２８  接点ピン
３０  犠牲電極
６２  交直変換部
７０  電気コネクタ
８１  交流電力発生回路
【図１】
2004192954.tif 000003
【図２】
2004192954.tif 000004
【図３】
2004192954.tif 000005
【図４】
2004192954.tif 000006
【図５】
2004192954.tif 000007
【図６】
2004192954.tif 000008
【図７】
2004192954.tif 000009
【図８】
2004192954.tif 000010